(57)【要約】【課題】放熱面の温度が、従来より均一となる壁設置用の蓄熱式暖房パネルを提供する。【解決手段】断熱ボード、発熱体、潜熱蓄熱材パネル、放熱板がこの順に積層されてなる蓄熱式暖房パネルであって、複数の潜熱蓄熱材パネルを有し、該潜熱蓄熱材パネルの各々と断熱ボードの間に発熱体が挟まれ、各発熱体への電線の結線が分離通電が可能となるように結線されてなることを特徴とする蓄熱式暖房パネル。前記蓄熱式暖房パネルを放熱板が室内に面するよう建物の壁の中に埋設し、制御装置を有してなることを特徴とする暖房装置。【選択図】          図１
2005016734.tif 000002
【特許請求の範囲】
【請求項１】
断熱ボード、発熱体、潜熱蓄熱材パネル、放熱板がこの順に積層されてなる蓄熱式暖房パネルであって、複数の潜熱蓄熱材パネルを有し、該潜熱蓄熱材パネルの各々と断熱ボードの間に発熱体が挟まれ、各発熱体への電線の結線が分離通電が可能となるように結線されてなることを特徴とする蓄熱式暖房パネル。
【請求項２】
請求項１の蓄熱式暖房パネルを放熱板が室内に面するよう建物の壁の中に埋設し、制御装置を有してなることを特徴とする暖房装置。
【発明の詳細な説明】
【０００１】
【発明の属する技術分野】
本発明は、建物の暖房に用いられる蓄熱式暖房用パネルに関する。
【０００２】
【従来の技術】
潜熱蓄熱材を用いた蓄熱式暖房パネルは、建物の暖房用に実用化されている。特に、電力料金が安価な深夜電力時間帯において発熱体に通電して蓄熱材に蓄熱し、昼間に放熱する暖房として用いられている。蓄熱式暖房パネルは通常は床面に設置され、暖房として用いられるが、さらに暖房効果を高めるために、壁に蓄熱式暖房用パネルを設置して暖房を行うことが提案されている（例えば、特許文献１参照。）。
【０００３】
しかしながら、鉛直な壁に蓄熱式暖房用パネルを設置した場合は、通常は蓄熱した状態では液体である潜熱蓄熱材が、放熱後は固体となり放熱前の液体の潜熱蓄熱材とは比重が異なることから、重力の影響により、蓄熱式暖房パネルの放熱面の温度が不均一となる問題点があった。そこで、放熱面の温度が、従来より均一となる蓄熱式暖房パネルが求められていた。
【０００４】
【特許文献１】
特開平１１−８１６４１号公報
【０００５】
【発明が解決しようとする課題】
本発明の目的は、放熱面の温度が、従来より均一となる壁設置用の蓄熱式暖房パネルを提供することにある。
【０００６】
【課題を解決するための手段】
本発明者らは、上記の課題を解決すべく、蓄熱式暖房パネルの構成について鋭意研究を重ねた結果、断熱ボード、発熱体、潜熱蓄熱材パネル、放熱板がこの順に積層されてなる蓄熱式暖房パネルであって、その潜熱蓄熱材パネルを複数に分け、複数の潜熱蓄熱材パネルの各々と断熱ボードの間に発熱体を挟み、各発熱体への電線の結線を分離通電が可能となるように結線してなる蓄熱式暖房パネルは、分離通電可能な発熱体への通電を、温度が高くなる部分へは通電を短くし、温度が低くなる部分へは通電を長くすることにより、蓄熱式暖房パネルの放熱面の温度を、従来より均一にすることができることを見出し、本発明を完成するに至った。
【０００７】
すなわち本発明は、断熱ボード、発熱体、潜熱蓄熱材、放熱板がこの順に積層されてなる蓄熱式暖房パネルであって、複数の潜熱蓄熱材パネルを有し、該潜熱蓄熱材パネルの各々と断熱ボードの間に発熱体が挟まれ、各発熱体への電線の結線が分離通電が可能となるように結線されてなることを特徴とする蓄熱式暖房パネルを提供する。また本発明は、前記蓄熱式暖房パネルを放熱板が室内に面するよう建物の壁の中に埋設してなることを特徴とする暖房装置を提供する。
【０００８】
【発明の実施の形態】
本発明の蓄熱式暖房パネルは、断熱ボード、発熱体、潜熱蓄熱材パネル、放熱板がこの順に積層されてなる。
【０００９】
断熱ボードは、発泡ウレタン、発泡スチロール、ポリエチレン、ポリプロピレンなどの断熱性の高い材質からなる板である。断熱ボードの寸法は、建物の壁に設置するために適当な寸法であればよく、例えば一方向が５０ｃｍ〜２ｍ程度の寸法であり、通常は長方形または正方形である。
【００１０】
発熱体は通電により発熱するものであり、発熱部は通常はニクロム線、面状発熱体等よりなる。
【００１１】
潜熱蓄熱材パネルは、酢酸ナトリウム３水塩、リン酸水素二ナトリウム１２水塩、硫酸ナトリウム１０水塩などの塩水和物を潜熱蓄熱材として含有し、それを水不透過性の材質からなる密封容器に充填してなる。潜熱蓄熱材には、発核剤、固液分離防止剤、増粘剤、融点調整剤、分散剤、消泡剤、腐食防止剤、着色剤などを含有することができる。
【００１２】
放熱板は窯業系素材、鋼、ステンレス等よりなる。
【００１３】
本発明の蓄熱式暖房パネルは、複数の潜熱蓄熱材パネルを有し、その各々と断熱ボードの間に発熱体が挟まれ、各発熱体への電線の結線が分離通電が可能となるように結線されてなる。
【００１４】
本発明の蓄熱式暖房パネルにおいて、分離通電可能な発熱体への通電を、温度が高くなる部分へは通電を短くし、温度が低くなる部分へは通電を長くすることにより、蓄熱式暖房パネルの放熱面の温度を、従来より均一にすることができる。そのためには、本発明の蓄熱式暖房パネルが有する潜熱蓄熱材パネルの数は２以上であり、４以上が好ましく、６以上がさらに好ましい。潜熱蓄熱材パネルの数が多過ぎても制御が困難となるので、通常は３０枚以下である。
【００１５】
本発明の蓄熱式暖房パネルにおいては、各発熱体への電線の結線が分離通電が可能となるように結線されており、個々の発熱体への結線を別々に行い、蓄熱式暖房パネルの外部と結線できるようにリード線を配設することが好ましいが、例えば、４枚以上の潜熱蓄熱材パネルの２枚以上を直列に結線するなど、並列と直列の結線を組み合わせて複数の潜熱蓄熱材パネルを結線することもできる。
【００１６】
本発明の蓄熱式暖房パネルを建物の壁の内部に設置し、適当な制御装置と結線することにより、暖房装置として用いることができる。
【００１７】
【実施例】
次に、本発明を実施例によりさらに詳しく説明するが、本発明はこれらの実施例に限定されるものではない。
【００１８】
実施例１
本発明の実施例を図１に示した。厚めの発泡ウレタンのような弾力のある材質からなる断熱板▲１▼に、面状発熱体▲３▼を張りつけ、一辺３０ｃｍの正方形状の公知の潜熱蓄熱材パネル▲２▼を潜熱蓄熱材パネル▲２▼と断熱板▲１▼の間に面状発熱体▲３▼を挟むようにして設置する。各発熱体▲３▼をリード線▲５▼で結線するが、発熱体▲３▼各々を分離して通電ができるように結線する。潜熱蓄熱材パネル▲２▼の室内に面した面を放熱板▲４▼で覆い、両端を固定フレーム▲６▼で固定する。このように構成した蓄熱式暖房パネルを、既に仕上がっている壁の上から、放熱板が室内に面するように設置する。この蓄熱式暖房パネルに、深夜電力時間帯において発熱体に通電し、それ以外の時間帯には通電を行わないように設定可能であり、さらに通電の電流を調節可能なタイマー式の制御装置を結線する。
【００１９】
実施例２
実施例１に記載の本発明の蓄熱式暖房パネルを、放熱板が室内に面するように、建築物の壁の中の柱の間に設置する。設置した状態を図２に示す。図２は２本の鉛直な柱の間に設置された蓄熱式暖房パネルを水平方向に切断した状態を示す断面図である。設置した蓄熱式暖房パネルに、実施例１と同様の制御装置を結線する。
【００２０】
【発明の効果】
本発明の蓄熱式暖房パネルは、放熱面が鉛直になるように保持した場合も、放熱面の温度が従来より均一となり、壁設置の暖房装置用の蓄熱式暖房パネルとして好適であるので、本発明は工業的に極めて有用である。
【図面の簡単な説明】
【図１】本発明の蓄熱式暖房パネルの構造断面図。
【図２】壁に埋設した本発明の蓄熱式暖房パネルの断面図。
【符号の説明】
▲１▼  断熱ボード
▲２▼  潜熱蓄熱材
▲３▼  発熱体
▲４▼  放熱板
▲５▼  リード結束線
▲６▼  固定フレーム
【図１】
2005016734.tif 000003
【図２】
2005016734.tif 000004